(57)【要約】【課題】各監理室の既存個別型の監視制御用計算機の持つ設備状態データを、入出力ポートおよびメモリの増設や、プログラムの追加を伴なわずに、監理センターの新規集中型の監視制御用計算機に容易に伝送するシステムを提供する。【解決手段】ネットワークを介して接続された中央監視制御用計算機と個別監視制御用計算機の設備状態情報の監視制御を行う設備監視制御システムにおいて、中央監視制御用計算機の外部に、中央監視制御用計算機の設備状態データファイルの設備状態データからの画像信号を分岐する画像信号分岐部と、該画像信号をネットワーク網を介して他の個別監視制御用計算機に伝送する画像信号処理用計算部とを備え、個別監視制御用計算機内に、送られた設備状態データを設備状態データファイルに復元する設備状態データ復元部とを備える。【選択図】      図１
2004302990.tif 000002
【特許請求の範囲】
【請求項１】
ネットワークを介して接続された中央監視制御用計算機と複数の個別監視制御用計算機の設備状態情報の監視制御を行う設備状態監視制御システムにおいて、
前記個別監視制御用計算機の外部に、
前記個別監視制御用計算機の設備状態データファイルに登録されている設備状態データから画像生成部において生成された画像信号を分岐する画像信号分岐部と、
分岐された画像信号を前記ネットワークを介して前記中央監視制御用計算機に伝送する画像信号処理用計算部とを備え、
前記中央監視制御用計算機内に、
前記ネットワークを介して前記個別監視制御用計算機から伝送されてくる前記画像信号を受信するデータ送受信部と、
前記画像信号に基づき設備状態データを生成する画像解析部と、
前記画像解析部にて生成された設備状態データを設備状態データファイルに復元する設備状態データ復元部と
を備えたことを特徴とする設備状態監視制御システム。
【請求項２】
ネットワークを介して接続された中央監視制御用計算機と複数の個別監視制御用計算機の設備状態情報の監視制御を行う設備状態監視制御システムにおいて、
前記中央監視制御用計算機内に、
操作員の操作により入力された操作情報を伝送するデータ送受信部を備え、
前記個別監視制御用計算機の外部に、
前記操作情報が前記ネットワークを介して送信されると、該操作情報が既存の個別操作情報との信号合成部を介して前記個別監視制御用計算機に伝送され、前記個別監視制御用計算機から前記操作情報に対応する設備状態データを取出す画像信号処理用計算部と、
前記個別監視制御用計算機の設備状態データファイルに登録されている設備状態データから画像生成部において生成された画像信号を分岐する画像信号分岐部と、
分岐された画像信号を前記ネットワークを介して中央監視制御用計算機に伝送する前記画像信号処理用計算部と、
さらに前記中央監視制御用計算機内に、
前記ネットワークを介して前記個別監視制御用計算機から伝送されてきた前記画像信号を受信するデータ送受信部と、
前記画像信号に基づき設備状態データを生成する画像ファイルと、
前記画像ファイルの設備状態データをモニタ部に表示する画像データ出力演算部と
を備えたことを特徴とする設備状態監視制御システム。
【請求項３】
ネットワークを介して接続された中央監視制御用計算機と複数の個別監視制御用計算機の設備状態情報の監視制御を行う設備状態監視制御システムにおいて、
前記個別監視制御用計算機の外部に、
操作員の操作により入力された操作情報を伝送用データに処理し、前記ネットワークに送信する機能を有する端末機器と、
前記端末機器からの前記操作情報が前記ネットワークを介して送信されると、既存の個別操作情報との信号合成部を介して前記個別監視制御用計算機に伝送され、前記個別監視制御用計算機から前記操作情報に対応する設備状態データを取出す画像信号処理用計算部と、
前記個別監視制御用計算機の設備状態データファイルに登録されている設備状態データから画像生成部において生成された画像信号を分岐する画像信号分岐部と、
分岐された画像信号を前記ネットワークを介して中央監視制御用計算機に伝送する前記画像信号処理用計算部と、
前記中央監視制御用計算機内に、
前記ネットワークを介して前記個別監視制御用計算機から伝送されてくる前記画像信号を受信するデータ送受信部と、
前記画像信号に基づき設備状態データを生成する画像解析部と、
前記画像解析部にて生成された設備状態データを設備状態データファイルに復元する設備状態データ復元部と
を備えたことを特徴とする設備状態監視制御システム。
【請求項４】
ネットワークを介して接続された中央監視制御用計算機と複数の個別監視制御用計算機の設備状態情報の監視制御を行う設備状態監視制御システムにおいて、
前記中央監視制御用計算機内に、
操作員の代わりに模擬操作情報を生成する模擬操作情報生成部と、
生成された模擬操作情報を前記ネットワークを介して伝送するデータ送受信部を備え、
前記個別監視制御用計算機の外部に、
前記模擬操作情報が前記ネットワークを介して送信されると、該模擬操作情報が既存の個別操作情報との信号合成部を介して前記個別監視制御用計算機に伝送され、前記個別監視制御用計算機から前記模擬操作情報に対応する設備状態データを取出す画像信号処理用計算部と、
前記個別監視制御用計算機の設備状態データファイルに登録されている設備状態データから画像生成部において生成された画像信号を分岐する画像信号分岐部と、
分岐された画像信号を前記ネットワークを介して中央監視制御用計算機に伝送する前記画像信号処理用計算部と、
前記中央監視制御用計算機内に、さらに、
前記ネットワークを介して前記個別監視制御用計算機から伝送されてくる前記画像信号を受信するデータ送受信部と、
前記画像信号に基づき設備状態データを生成する画像解析部と、
前記画像解析部にて生成された設備状態データを設備状態データファイルに復元する設備状態データ復元部と
を備えたことを特徴とする設備状態監視制御システム。
【発明の詳細な説明】
【０００１】
【発明の属する技術分野】
本発明は、モニタ装置、キーボード装置およびマウス装置などの外部操作機器を備えて設備状態の監視制御を行う既存個別の監視制御用計算機と該監視制御用計算機が有する設備状態情報を集めて総合的に監視制御を行う中央監視制御用計算機間の設備状態監視制御システムに関する。
【０００２】
【従来の技術】
従来、ビルや工場には、受変電設備や空調設備などの大型の電気機械設備が多数存在する。これらの設備は、その機能を維持継続するため、設備異常等が発生した時には、速やかに復旧のための対策をとることが重要である。このため、一般には、建物の中に管理室を設け、監視制御用計算機を設け、監視対象の設備の状態を収集し、集中監視する方法が採用されている。
【０００３】
図９は、従来の集中監視のための設備状態監視制御方法およびそのシステムの概要を示したものである。インタネット２１を介して複数の個別監視制御用計算機１Ａ〜１ｎと中央監視制御用計算機３が接続され各計算機間でデータの伝送が行われている。伝送された設備状態のデータは、モニタ装置上に画面として表示されて、監視制御用業務が遂行されている（例えば、特許文献１参照）。
【０００４】
図１０は、上記のようなデータ伝送方法の一例を示したものである。先ず、設備状態データが、既存の個別監視制御用計算機１Ａに接続される監視制御対象の機器装置５７から、プロセス入出力装置５８を介して入力される。入力された設備状態データは監視制御プログラム演算部５９により、図１１に示すフローに従って、設備状態データファイル２ａに書き込まれる。
【０００５】
キーボード装置１９ａの特定のキー、例えば「Ｆ１キー」を押下すれば、設備状態を示すデータが、キーボード信号入力装置４８から入力される。入力された設備状態データは、キーボード入力プログラム演算部６０により、図１３に示すフローに従って、画面表示用プログラム演算部５に通知される。画面表示用プログラム演算部５は、当該通知に基づき、キーボード通知内容、すなわち設備状態データを、設備状態データファイル２ａから取り出して画像データを生成し、画像生成装置６に通知する。通知後、画像生成装置６により画像データを画像表示のための画像信号に変換後、モニタ装置７ａに伝送し、画像として表示する。
【０００６】
一方、マウス信号入力装置４７は、画面に表示するカーソルの表示位置を記憶するメモリを保有し、そのメモリ内容は、マウス装置２０ａのスクロール操作に応じて、常に更新される。カーソルの表示位置は、画像生成装置６に通知され、画面表示用プログラム演算部５が、図１６に示すフローに従って、設備状態データファイル２ａ中の画面管理データから作成した表示画面データによる画像に重畳しながら、画面上にカーソルとして表示される。
【０００７】
マウス装置２０ａのクリック操作により、マウスクリック信号がマウス信号入力装置４７に通知されると、マウス信号入力装置４７は、自分が保有するカーソルの現在表示位置を、マウスデータ入力プログラム演算部６１に通知する。図１２に示すフローに従い、マウスデータ入力プログラム演算部６１に通知されたカーソルの現在の表示位置は、画面表示用プログラム演算部５に通知される。通知を受けた画面表示用プログラム演算部５は、このカーソル表示位置情報に基づいて、自身が持つ画面管理データに登録された当該通知に関係する設備状態データを、設備状態データファイル２ａから取り出し、画面データを生成し、画像生成装置６に通知して、画面表示のための画像信号に変換後、モニタ装置７ａに伝送し、ここで画像を表示する。
【０００８】
設備状態データファイル２ａに記憶されている設備状態データは、データリンクプログラム演算部６２ａにより、図１４に示すフローに従い、個別監視制御用計算機１Ａのデータ送受信装置６３ａから、中央監視制御用計算機３のデータ送受信装置６３ｂに接続され、データリンクプログラム演算部６２ｂにより、図１５に示すフローに従い、設備状態データファイル２ｂに記憶される。
【０００９】
このように、中央監視制御用計算機３においても、受信データが記憶される設備状態データファイル２ｂが、個別監視制御用計算機１Ａと同様の構成で、モニタ装置７ｂ上に設備状態の画像を表示することができる。
【００１０】
【特許文献１】
特開２００２−３２８９９０号公報（要約）
【００１１】
【発明が解決しようとする課題】
最近は、運用管理の効率化を目的に、集中管理センターを設け、複数の既存の管理室を一括して広域管理する方法も採用されるようになって来たので、集中管理センターに中央監視制御用計算機を設け、ビルや工場の監理室にある既存の個別監視制御用計算機を通信回線などで接続して、各監理室の設備状態データを収集する方法が採用されている。
しかしながら、この場合、管理室の監視制御用計算機の入出力ポートへ新たなデータ伝送装置を追加接続する作業に加え、メモリ増設やデータ伝送のためのプログラム組込みなどの作業が発生することになる。
【００１２】
稼働中の個別監視制御用計算機の中には、例えば、このリンク機構におけるデータリンクプログラム演算部６２ａのように、予備の入出力ポートが無い場合があり、しかも新たな入出力ポートの接続作業が困難な場合もあり、メモリが充分でなく、プログラム追加作業が困難な場合もあり、入出力ポートやメモリの増設が可能な場合でも、プログラム追加作業量が膨大となり、導入後に見込まれる効果を超える多くの費用を必要とする場合があるなどの問題がある。
このため、各監理室で現在稼働中の個別監視制御用計算機と監視センターなどに新たに設ける中央監視制御用計算機を接続することにより広域集中化を図ろうとする方法は、その方法が広く普及することを阻害されている。
【００１３】
したがって、本発明は、各監理室の既存の個別監視制御用計算機の持つ設備状態データを、入出力ポートおよびメモリの増設や、プログラムの追加を伴なわずに、該監視制御用計算機から、監理センターの新規集中型である中央監視制御用計算機に容易に伝送するシステムを提供することを目的とする。
【００１４】
【課題を解決するための手段】
このような目的を達成するために、本発明の請求項１に記載の設備状態監視制御システムは、ネットワークを介して接続された中央監視制御用計算機と複数の個別監視制御用計算機の設備状態情報の監視制御を行う設備監状態視制御システムにおいて、個別監視制御用計算機の外部に、個別監視制御用計算機の設備状態データファイルに登録されている設備状態データから画像生成部において生成された画像信号を分岐する画像信号分岐部と、分岐された画像信号をネットワークを介して中央監視制御用計算機に伝送する画像信号処理用計算部とを備え、中央監視制御用計算機内に、ネットワークを介して前記個別監視制御用計算機から伝送されてくる画像信号を受信するデータ送受信部と、画像信号に基づき設備状態データを生成する画像解析部と、画像解析部にて生成された設備状態データを設備状態データファイルに復元する設備状態データ復元部とを備えたことを特徴とする。
これにより、個別監視制御用計算機の持つ設備状態データファイルのデータを、中央監視制御用計算機に伝送するときに、個別監視制御用計算機のモニタ表示信号を、画像信号分岐装置で分岐し、中央監視制御用計算機に伝送し、中央監視制御用計算機の持つ設備状態データファイル用いて、個別監視制御用計算機のモニタ表示信号を復元して、画面に表示することができる。
したがって、各監理室の既存の個別監視制御用計算機の持つ設備状態データを、入出力ポートおよびメモリの増設や、プログラムの追加を伴なわずに、該監視制御用計算機から、監理センターの新規の中央監視制御用計算機に容易に伝送するシステムを提供することができる。
【００１５】
本発明の請求項２に記載の設備状態監視制御システムは、ネットワークを介して接続された中央監視制御用計算機と複数の個別監視制御用計算機の設備状態情報の監視制御を行う設備状態監視制御システムにおいて、中央監視制御用計算機内に、操作員の操作により入力された操作情報を伝送するデータ送受信部を備え、個別監視制御用計算機の外部に、操作情報がネットワークを介して送信されると、該操作情報が既存の個別操作情報との信号合成部を介して個別監視制御用計算機に伝送され、個別監視制御用計算機から操作情報に対応する設備状態データを取出す画像信号処理用計算部と、個別監視制御用計算機の設備状態データファイルに登録されている設備状態データから画像生成部において生成された画像信号を分岐する画像信号分岐部と、分岐された画像信号を前記ネットワークを介して中央監視制御用計算機に伝送する画像信号処理用計算部と、前記中央監視制御用計算機内に、さらに、ネットワークを介して個別監視制御用計算機から伝送されてきた前記画像信号を受信するデータ送受信部と、画像信号に基づき設備状態データを生成する画像ファイルと、画像ファイルの設備状態データをモニタ部に表示する画像データ出力演算部とを備えたことを特徴とする。
これにより、個別監視制御用計算機のモニタ装置に表示される画面と同一の画面を、インタネット網を介して接続されている中央監視制御用計算機設けられたキーボード装置を使って、中央監視制御用計算機のモニタ装置上に表示することができる。
したがって、各監理室の既存の個別監視制御用計算機の持つ設備状態データを、入出力ポートおよびメモリの増設や、プログラムの追加を伴わずに、該監視制御用計算機から、監理センターの新規の中央監視制御用計算機に容易に伝送するシステムを提供することができる。
【００１６】
本発明の請求項３に記載の設備状態監視制御システムは、ネットワークを介して接続された中央監視制御用計算機と複数の個別監視制御用計算機の設備状態情報の監視制御を行う設備状態監視制御システムにおいて、個別監視制御用計算機の外部に、操作員の操作により入力された操作情報を伝送用データに処理し、ネットワークに送信する機能を有する端末機器と、端末機器からの前記操作情報が前記ネットワークを介して送信されると、既存の個別操作情報との信号合成部を介して個別監視制御用計算機に伝送され、個別監視制御用計算機から前記操作情報に対応する設備状態データを取出す画像信号処理用計算部と、個別監視制御用計算機の設備状態データファイルに登録されている設備状態データから画像生成部において生成された画像信号を分岐する画像信号分岐部と、分岐された画像信号を前記ネットワークを介して中央監視制御用計算機に伝送する前記画像信号処理用計算部と、中央監視制御用計算機内に、ネットワークを介して前記個別監視制御用計算機から伝送されてくる前記画像信号を受信するデータ送受信部と、画像信号に基づき設備状態データを生成する画像解析部と、画像解析部にて生成された設備状態データを設備状態データファイルに復元する設備状態データ復元部とを備えたことを特徴とする。
これにより、インタネットに独立して接続される入力装置に備えられたマウス装置とキーボード装置を使って、中央監視制御用計算機のモニタ装置上に、設備状態を含む画面を特定して表示することができる。
したがって、各監理室の既存の個別監視制御用計算機の持つ設備状態データを、入出力ポートおよびメモリの増設や、プログラムの追加を伴なわずに、該監視制御用計算機から、監理センターの新規の中央監視制御用計算機に容易に伝送するシステムを提供することができる。
【００１７】
本発明の請求項４に記載の設備状態監視制御システムは、ネットワークを介して接続された中央監視制御用計算機と複数の個別監視制御用計算機の設備状態情報の監視制御を行う設備監視制御システムにおいて、中央監視制御用計算機内に、操作員の代わりに模擬操作情報を生成する模擬操作情報生成部と、生成された模擬操作情報を前記ネットワークを介して伝送するデータ送受信部を備え、個別監視制御用計算機の外部に、模擬操作情報が前記ネットワークを介して送信されると、該模擬操作情報が既存の個別操作情報との信号合成部を介して個別監視制御用計算機に伝送され、個別監視制御用計算機から模擬操作情報に対応する設備状態データを取出す画像信号処理用計算部と、個別監視制御用計算機の設備状態データファイルに登録されている設備状態データから画像生成部において生成された画像信号を分岐する画像信号分岐部と、分岐された画像信号を前記ネットワークを介して中央監視制御用計算機に伝送する前記画像信号処理用計算部と、中央監視制御用計算機内に、さらに、ネットワークを介して前記個別監視制御用計算機から伝送されてくる画像信号を受信するデータ送受信部と、画像信号に基づき設備状態データを生成する画像解析部と、画像解析部にて生成された設備状態データを設備状態データファイルに復元する設備状態データ復元部とを備えたことを特徴とする。
これにより、個別監視制御用計算機のモニタ装置に表示される画面と同一の画面を、インタネットを介して接続される中央監視制御用計算機に接続される特定のマウスデータ等生成プログラム演算部による模擬操作情報を使って、該模擬操作情報に対応する画像データを、中央監視制御用計算機のモニタ装置上に表示することができる。
したがって、各監理室の既存の個別監視制御用計算機の持つ設備状態データを、入出力ポートおよびメモリの増設や、プログラムの追加を伴なわずに、該監視制御用計算機から、監理センターの新規の中央監視制御用計算機に容易に伝送するシステムを提供することができる。
【００１８】
【発明の実施の形態】
（第１の実施の形態：請求項１に対応）
図１は、本実施の形態の設備状態監視制御システムを示す。図１０に示した同一の構成要素には、同一の符号を付す。図１０の従来例に対して、本実施の形態で新たに加えられた構成要素についての動作を説明する。
同図は、個別監視制御用計算機１の持つ設備状態データファイル２ａのデータを、中央監視制御用計算機３に伝送するときに、個別監視制御用計算機１の画像生成装置６からのモニタ表示信号が、画像信号分岐装置４で分岐され、一旦、画像処理用計算機５２にて画像データに変換される。変換された画像データは、中央監視制御用計算機３に伝送され、画像解析された後、中央監視制御用計算機３の持つ設備状態データファイル２ｂに収納される。収納された設備状態データファイル２ｂを用いて、個別監視制御用計算機１のモニタ表示信号を復元して画面に表示する設備状態監視制御システムを示している。
【００１９】
図１０に対して、本実施の形態で新たに加えられた構成要素による機能フローについて説明する。
個別監視制御用計算機１の画面表示プログラム演算部５で生成された画面データは、画像生成装置６により画像信号に変換され画像信号分岐装置４を介してモニタ装置７ａ上に表示される。同時に、画面データは画像信号変換装置８にも伝送され、変換された画像データは、図５に示すように、画像データ入力プログラム演算部９により、画像データファイル１０ａに記憶される。
【００２０】
画像データファイル１０ａに記憶された画像データは、データ送受信プログラム演算部１１ａによりデータ送受信装置１２ａを介して、中央監視制御用計算機３のデータ送受信装置１２ｂに入力される。入力された画像データは、データ送受信プログラム演算部１１ｂにより画像データファイル１０ｂに伝送されて、記憶される。
【００２１】
画像解析プログラム演算部１６は、画像データファイル１０ｂに登録された全ての設備を対象に、例えば開閉器であれば、画面上に赤色または緑色で表示される入または切り状態を判定して１または０を生成し、電圧や電流などがアラビア数字で画面上に表示されたものであれば、２進の数値データを生成して設備状態データファイル２ｂに記憶する。画像解析プログラム演算部１６で行われる処理に対応する図を、図６に示す。画面表示プログラム演算部１７は、設備状態データファイル２ｂに記憶された設備毎の状態データを用いて、画面表示データを作成し、画像生成装置１８を介して、モニタ装置７ｂ上に表示する。
【００２２】
本実施の形態によれば、個別監視制御用計算機１の持つ設備状態データファイル２ａのデータを、中央監視制御用計算機３に伝送するときに、個別監視制御用計算機１のモニタ表示信号を、画像信号分岐装置４で分岐し、中央監視制御用計算機３に伝送し、中央監視制御用計算機３の持つ設備状態データファイル２ｂに記憶させ、そこから個別監視制御用計算機１のモニタ表示信号を復元して、画面に表示することができる。
【００２３】
したがって、改変の難しいデータリンクプログラムの変更作業は行わず、上述した双方の監視制御用計算機の製作メーカや機種などに依存することなく、標準規格に沿って製作されたモニタ装置７ａを用いることにより、第１の監視制御用計算機の持つデータを第２の監視制御用計算機に容易に伝送することができる。
【００２４】
（第２の実施の形態：請求項２に対応）
図２は、本実施の形態に関連する設備状態監視制御システムを示したものである。
同図は、中央監視制御用計算機３のキーボード装置１９ｂとマウス装置２０ｂの情報をインタネット２１を介して、個別監視制御用計算機１に伝送し、該監視制御用計算機１のモニタ装置７ａに表示される画面内容を分岐し、インタネット２１を使って、中央監視制御用計算機３に折り返し伝送し、モニタ装置７ｂ上に表示することを特徴とする設備状態監視制御システムを示している。
【００２５】
図１０に対して、本実施の形態で新たに加えられた構成要素の動作を説明する。
【００２６】
中央監視制御用計算機３の演算制御装置６５ｂ内のキーボード入力プログラム演算部３１は、キーボード装置１９ｂそしてキーボード入力装置２３ｂからのキーボード入力データを取り込み、さらにキーボード入力データをキーボードデータ出力プログラム演算部３２に伝送する。
【００２７】
マウス入力プログラム演算部３３は、マウス入力装置３４ｂを介して伝送されたマウス装置２０ｂの操作情報を取り込み、さらに操作情報をマウスデータ生成プログラム演算部３５に伝送する。
【００２８】
マウスデータ生成プログラム演算部３５は、縦方向の移動量、横方向の移動量、クリック操作発生のデータを生成する。マウスデータ生成プログラム演算部３５で生成された上記データは、データ送受信プログラム演算部２９ｂにより、データ送受信装置２８ｂを介してインタネット２１に送信もしくはインタネット２１を介して他の監視制御用計算機からデータを受信する。
【００２９】
一方、個別監視制御用計算機１側では、画像処理用計算機５２において、データ送受信プログラム演算部２９ａにより、インタネット２１およびデータ受送信装置２８ａを介してマウスデータを取り込む。同様に、インタネット２１に自己データを送信する。
【００３０】
キーボードデータ出力プログラム演算部２７は、データ送受信プログラム演算部２９ａにより、中央監視制御用計算機３からデータ送受信装置２８ａなどを介して伝送される信号を、キーボード装置１９ａの同一のキーが押下されるときに生成される信号と同一のデータとして生成する機能を有する。
【００３１】
マウスデータ出力プログラム演算部３０は、データ送受信プログラム演算部２９ａにより、中央監視制御用計算機３からデータ送受信装置２８ａなどを介して伝送される信号を、マウス装置２０ａの同一のマウス操作により生成される信号と同一のデータとして生成する機能を有する。
【００３２】
キーボード信号出力装置２６は、キーボードデータ出力プログラム演算部２７により生成されるキーボードデータを、伝送用電気信号であるキーボード信号に変換する。
【００３３】
画像信号変換装置８は、画像データ入力プログラム演算部２５により、モニタ表示用の画像信号を画像データに変換して画像データファイル１０ａに伝送する機能を有する。
【００３４】
キーボード信号合成装置２２は、操作員の操作による複数のキーボード信号のうち、操作員の指定による特定の信号のみ、または全ての信号を合成して、個別監視制御用計算機１のキーボード信号入力装置２３ａに伝送する。
【００３５】
画像信号分岐装置４は、個別監視制御用計算機１の画像生成装置６の生成する画像表示信号を分岐して、既設のモニタ装置および新たに設ける画像サーバに、同時に伝送する機能を有する。
【００３６】
画像データ出力プログラム演算部３６は、画像データファイル１０ｂの内容をモニタ装置７ｂに表示するために、図６に示すフローに従って、画像データファイル１０ｂから当該画像データを取出して画像生成装置３８に引き渡す。画像生成装置３８では、画像データに基づきモニタ表示装置７ｂで画像として表示可能な画像信号を生成する。
【００３７】
これらの構成要素を用いることにより、折り返しのフローは以下のようになる。
画像信号分岐装置４を介して分岐した画像信号は、画像信号変換装置８により画像データに変換され、画像データ入力プログラム演算部２５により画像データファイル１０ａに記憶される。この画像データは、データ送受信プログラム演算部２９ａ、データ送受信装置２８ａ、インタネット２１を介して、データ送受信プログラム演算部２９ｂにより画像データファイル１０ｂに記憶される。データ送受信プログラム演算部２９ａ，２９ｂでの処理は、そのプログラムを図７に示すフローに従って演算する。画面データ出力プログラム演算部３６に引き渡された画像データは、画像生成装置３８により、画像信号に変換され、モニタ装置７ｂに表示される。
【００３８】
本実施の形態によれば、個別監視制御用計算機１のモニタ装置７ａに表示される画面と同一の画面を、インタネット２１を介して接続されている中央監視制御用計算機３に設けられたキーボード装置１９ｂを使って、中央監視制御用計算機３のモニタ装置７ｂ上に表示することができる。
【００３９】
したがって、個別監視制御用計算機に、新たな入出力ポートの追加や、プログラムの追加を一切必要としないことから、これらの実装が困難な既存の監視制御用計算機からでも、センターなどに設ける監視制御用計算機に対して、監視対象の設備状態データを容易に通知することができる。
【００４０】
（第３の実施の形態：請求項３に対応）
図３は、本実施の形態に関連する設備状態監視制御システムを示す。
同図は、監視制御用計算機などに設ける、入力装置のキーボード装置とマウス装置以外にも、インタネットに接続された端末装置を設け、これら端末装置を介して独立した入力装置のキーボード装置とマウス装置を設け、該キーボード装置とマウス装置の状態をインタネット回線を介して個別監視制御用計算機に伝送し、該監視制御用計算機のモニタ装置に表示される画像データを分岐し、インタネット回線を使って折り返し、中央監視制御用計算機に伝送し、画像解析により監視対象設備状態データを抽出することを特徴とする設備状態監視制御システムを示している。
【００４１】
図１０に対して、本実施の形態で新たに加えられた構成要素についての動作を、説明する。
【００４２】
監視制御用計算機とは独立して設けられた端末装置の入力装置４０では、キーボード入力装置２３ｃでのキーボード操作に基づくキーボード入力データが、キーボードデータ入力プログラム演算部４１により取り込まれ、取り込まれたキーボード入力データは、キーボード信号生成プログラム演算部４３によりデータ伝送用のデータフォーマットに生成される。
【００４３】
マウスデータ入力プログラム演算部４４は、マウス入力装置３４ｃを介して伝送されてくるマウス装置２０ｃによる操作情報を取り込み、この取り込まれた操作情報は、マウス信号生成プログラム演算部４５にによりデータ伝送用のデータフォーマットに生成される。
【００４４】
これらのデータフォーマットに生成されたデータは、データ送受信用プログラム演算部２９ｃによりデータ送受信装置２８ｃを介してインタネット２１に送信される。また、中央監視制御用計算機からのデータも、インタネット２１を介して受信される。
一方、個別監視制御用計算機１側では、インタネット２１およびデータ送受信装置２８ａを介して独立した入力装置４０からのデータが、画像処理用計算機５２内のデータ送受信プログラム演算部２９ａにより、取り込まれる。同様に、インタネット２１に自己データが送信される。
【００４５】
キーボード信号出力装置２６は、キーボードデータ出力プログラム演算部２７により生成されるキーボードデータを電気信号であるキーボード信号に変換する機能を有する。
【００４６】
キーボード信号合成装置２２は、複数のキーボード信号を入力し、操作員の指定により特定の信号のみ、または全ての信号を合成して、個別監視制御用計算機１に通知する機能を有する。マウス信号合成装置４６も、キーボード信号合成装置２２と同様の機能を有する。
【００４７】
キーボード出力プログラム演算部２７は、データ送受信プログラム演算部２９ａにより中央監視制御用計算機３からデータ送受信装置２８ａなどを介して伝送される信号を、キーボード装置１９ａの同一のキーが押下されるときに生成される信号と同一のものデータとして生成する機能を有する。
【００４８】
マウスデータ出力プログラム演算部３０は、データ送受信プログラム演算部２９ａにより他方の監視制御用計算機３からデータ送受信装置２８ａなどを介して伝送される信号を、マウス装置２０ａの同一のマウス操作により生成される信号と同一のものデータとして生成する機能を有する。
【００４９】
画像信号分岐装置４は、個別監視制御用計算機１中の画像生成装置６の生成する画像表示信号を分岐して、同時に複数の装置に通知する機能を有する。
【００５０】
画像信号変換装置８は、画像データ入力プログラム演算部２５により、モニタ表示用の画像信号を画像データに変換して画像データファイル１０ａに伝送する機能を有する。
【００５１】
キーボード信号合成装置２２は、操作員による操作による複数のキーボード信号のうち、操作員の指定により特定の信号のみ、または全ての信号を合成して、個別監視制御用計算機１のキーボード信号入力装置４８に伝送する機能を有する。
【００５２】
マウス信号合成装置４６は、操作員による操作による複数のキーボード信号のうち、操作員の指定により特定の信号のみ、または全ての信号を合成して、個別監視制御用計算機１のマウス信号入力装置４７に伝送する機能を有する。
【００５３】
画像解析プログラム演算部１６は、画像データファイル１０ｂに登録された全ての設備を対象に、図８に示すように、例えば開閉器であれば、画面上に赤色または緑色で表示される入または切り状態を判定して１または０を生成し、電圧や電流などがアラビア数字で画面上に表示されたものであれば、２進の数値データを生成して設備状態データファイル２ｂに記憶する。
【００５４】
以下に、本実施の形態の全体の動作フローについて説明する。
独立した端末装置の入力装置４０に接続されるマウス装置２０ｃとキーボード装置１９ｃの操作情報は、マウスデータ入力プログラム演算部４４そしてキーボード入力プログラム演算部４１により、マウス入力装置３４ｃとキーボード入力装置１９ｃを介して入力装置４０内に取り込まれる。そして取り込まれた操作情報は、マウスデータ信号生成プログラム演算部４５とキーボードデータ生成プログラム演算部４３によりデータ伝送用のデータになる。
【００５５】
これらの各生成プログラム演算部により生成されたデータは、データ送受信プログラム２９ｃにより、インタネット２１を介して、例えば個別監視制御用計算機１側に設けられた画像処理用計算機５２に伝送される。
【００５６】
個別監視制御用計算機１側では、中央監視制御用計算機３から伝送されてくるデータが、データ送受信プログラム演算部２９ａにより、データ送受信装置２８ａ等を介して、画像処理用計算機５２に取り込まれる。
【００５７】
この結果、表示画面が、個別監視制御用計算機１により特定され、画像生成装置６を介してモニタ表示用の画像信号になる。
【００５８】
同時に、画像生成装置６から画像信号分岐装置４を介して分岐した画像信号は、画像信号変換装置８で画像データに変換され、変換された画像データは、画像データ入力プログラム演算部２５により画像データファイル１０ａに記憶される。この画像データは、データ送受信プログラム演算部２９ａ、データ送受信装置２８ａ、インタネット２１を介して、中央監視制御用計算機３に取り込まれ、データ送受信装置２８ｂを介してデータ送受信プログラム演算部２９ｂにより画像データファイル１０ｂに記憶される。
【００５９】
画面表示プログラム演算部５１では、図８中に示すように、設備状態データファイル２ｂに記憶された設備毎の状態を用いて、画面表示データが作成され、画像生成装置３８を介してモニタ装置７ｂ上に表示される。
【００６０】
本実施の形態によれば、インタネット２１に独立して接続される端末装置の入力装置４０に備えられたマウス装置２０ｃとキーボード装置１９ｃを使って、中央監視制御用計算機３のモニタ装置７ｂ上に、設備状態を含む画面を特定して表示することができる。すなわち、独立した入力装置を用いて、個別監視制御用計算機１の持つ設備状態データファイル２ａの内容を、中央監視制御用計算機３の設備状態データファイル２ｂに復元することができる。
【００６１】
したがって、第２の実施の形態と同様に、既存の個別監視制御用計算機に新たな入出力ポートの追加や、プログラム追加を一切必要としないことから、これらの実装が困難で、稼動中の個別監視制御用計算機からでも、センターなどに設ける中央監視制御用計算機に対して、監視対象の設備状態データを容易に通知することができる。
【００６２】
なお、本実施の形態では、画像解析プログラム演算部１６による設備状態データの抽出機能を、中央監視制御用計算機３に設けているが、該設備状態データの抽出機能を、個別監視制御用計算機１の近傍に置く画像処理用計算機５２に設けることにより、画像処理用計算機５２において設備状態データを変換し、インタネット２１を介して中央監視制御用計算機３に伝送するシステムも考えられる。
【００６３】
（第４の実施の形態：請求項４に対応）
図４は、本実施の形態に関連する設備状態監視制御システムを示す。
同図は、予め監視制御用の複数の画面を自動的に表示するために、中央監視制御用計算機３に、キーボード装置１９ｂとマウス装置２０ｂの一連の操作を模擬するデータを用意しておき、そのデータを、順次インタネット網２１を介して、個別監視制御用計算機１に伝送し、該監視制御用計算機１のモニタ装置７ａに表示される画面内容を分岐して、インタネット２１を使って中央監視制御用計算機３に伝送し、画像解析により監視対象の設備状態データを抽出し、設備状態データファイル２ｂに記憶するとともに、画面表示することを特徴とする設備監視制御データ伝送システムを示している。
【００６４】
図１０に対して、本実施の形態で新たに加えられた構成要素についての動作を説明する。
【００６５】
中央監視制御用計算機３の演算制御部６５ｂ内のマウスデータ等生成プログラム演算部５６は、キーボード装置１９ｂとマウス装置２０ｂの一連の操作を模擬するデータを図示しない記憶領域に格納する機能を有する。
【００６６】
画像処理用計算機５２内のデータ送受信プログラム演算部２９ａは、インタネット２１およびデータ送受信装置２８ａを介して、マウスデータ等生成プログラム演算部５６からの上記模擬データを取り込む。同様に、インタネット２１に自己データが送信される。
【００６７】
キーボード信号出力装置２６は、キーボードデータ出力プログラム演算部２７により生成されるキーボードデータを電気信号であるキーボード信号に変換する機能を有する。
【００６８】
マウスデータ出力プログラム３０は、データ送受信プログラム演算部２９ａにより中央監視制御用計算機３からデータ送受信装置２８ａなどを介して伝送される信号を、マウス装置２０ａの同一のマウス操作により生成される信号と同一のデータとして生成する機能を有する。
【００６９】
キーボード信号合成装置２２は、複数のキーボード信号を入力し、操作員の指定により特定の信号のみ、または全ての信号を合成して、監視制御用計算機１に通知する機能を有する。
【００７０】
マウス信号合成装置４６は、操作員による操作による複数のキーボード信号のうち、操作員の指定による特定の信号のみ、または全ての信号を合成して、個別監視制御用計算機１のマウス信号入力装置４７に伝送する機能を有する。
【００７１】
画像解析プログラム演算部１６は、画像データファイル１０ｂに登録された全ての設備を対象に、図８に示すように、例えば開閉器であれば、画面上に赤色または緑色で表示される入または切り状態を判定して１または０を生成し、電圧や電流などがアラビア数字で画面上に表示されたものであれば、２進の数値データを生成して設備状態データファイル２ｂに記憶する。
【００７２】
画像信号分岐装置４は、個別監視制御用計算機１の画像生成装置６の生成する画像表示信号を分岐して、同時に複数の装置に通知する機能を有する。
【００７３】
画像信号変換装置８は、画像データ入力プログラム演算部２５により、モニタ表示用の画像信号を画像データに変換して画像データファイル１０ａに伝送する機能を有する。
【００７４】
画面表示プログラム演算部５１により、図１６に示すように、設備状態データファイル２ｂに記憶された設備毎の状態を用いて画面表示データが作成され、画像生成装置６により、画面表示データは、モニタ装置７ｂ上に表示される。
【００７５】
以下に、本実施の形態の機能フローについて説明する。
中央監視制御用計算機３に設けるマウスデータ等生成プログラム演算部５６は、個別監視制御用計算機１のマウス装置２０ａとキーボード装置１９ａで実施される一連の操作を模擬するデータを図示していない記憶領域から読み出す。そして、読み出された当該データは、データ送受信プログラム演算部２９ｂにより、データ送受信装置２８ｂを介してインタネット２１に出力され、個別監視制御用計算機１側に設けられた画像処理用計算機５２に伝送される。
【００７６】
個別監視制御用計算機１側では、監視制御用計算機３から伝送されてくるデータが、データ送受信プログラム演算部２９ａにより、データ送受信装置２８ａ等を介して画像処理用計算機に取り込まれる。
【００７７】
画像処理用計算機５２に取り込まれたデータは、キーボード信号出力プログラム演算部２７とマウス信号出力プログラム演算部３０により、マウス信号出力装置４５とキーボード信号出力装置２６を介してマウス信号合成装置４６とキーボード信号合成装置２２に伝送される。
【００７８】
そして、マウス信号合成装置４６とキーボード信号合成装置２２からマウス信号入力装置４７とキーボード信号入力装置４８に伝送されてくるデータに基づき、個別監視制御用計算機１は、画像生成装置６を介してモニタ表示用の画像信号を生成する。
【００７９】
その後、画像信号分岐装置４により分岐された画像信号は、画像処理用計算機５２中の画像信号変換装置２４により画像データに変換され、画像データ入力プログラム２５により画像データファイル１０ａに記憶される。この画像データは、データ送受信プログラム演算部２９ａ、データ送受信装置２８ａ、インタネット２１、データ送受信装置２８ｂ、データ送受信プログラム２９ｂを介して、画像データファイル１０ｂに引き渡され、記憶される。画像解析プログラム１６では、監視対象の設備の表示データが取出され、設備状態データファイル２ｂに記憶される。さらに、画面表示プログラム演算部５１により、画面表示データが作成され、画像生成装置６ｂを介してモニタ装置７ｂ上に表示される。
【００８０】
本実施の形態によれば、中央監視制御用計算機３内に、キーボード装置とマウス装置の一連の操作を模擬するデータを用意しておき、この模擬操作情報に基づいて、個別監視制御用計算機１のモニタ装置７ａに表示される画面と同一の画面を、インタネット２１を介して接続される中央監視制御用計算機３のモニタ装置７ｂ上に表示することができる。
【００８１】
したがって、第２の実施の形態や第３の実施の形態と同様に、監視制御用計算機に新たな入出力ポートの追加や、プログラム追加を一切必要としないことから、これらの実装が困難な稼動中の個別監視制御用計算機からでもセンターなどに設ける中央監視制御用計算機に対して、監視対象の設備状態データを容易に通知することができる。
【００８２】
なお、本実施の形態では、画像解析プログラム演算部１６による設備状態データの抽出機能を、中央監視制御用計算機３に設けているが、抽出機能を個別監視制御用計算機１の近傍に置いた画像処理用計算機５２に設けることにより、抽出された設備状態データを、インタネット２１を介して、中央監視制御用計算機３に伝送する方法も考えられる。
【００８３】
さらに、本実施の形態で示したマウスデータ等生成プログラム演算部５６は、中央監視制御用計算機３の外部に設けてもよい。
【００８４】
また、本実施の形態では、通信回線としてインターネットにて説明したが、電話回線などの専用回線を用いてもよい。
【００８５】
【発明の効果】
本発明によれば、管理室にある既存の監視制御用計算機の入出力ポートやメモリの増設や、プログラム追加を伴なうことなく、該監視制御用計算機の持つ設備状態データを、例えばセンターに備える中央監視制御用計算機にて容易に収集することができる。
【図面の簡単な説明】
【図１】第１の実施の形態の設備状態監視制御システムの構成図。
【図２】第２の実施の形態の設備状態監視制御システムの構成図。
【図３】第３の実施の形態の設備状態監視制御システムの構成図。
【図４】第４の実施の形態の設備状態監視制御システムの構成図。
【図５】画像データ入力プログラム演算部９のフローチャート。
【図６】画像解析プログラム演算部１６の処理の説明図。
【図７】データ送受信プログラム演算部２９ａ，２９ｂ，２９ｃのフローチャート。
【図８】画像データ解析プログラム演算部１６のフローチャート。
【図９】従来の設備状態監視制御システムの概念構成図。
【図１０】従来の設備状態監視制御システムの構成図。
【図１１】監視制御プログラム演算部５９のフローチャート。
【図１２】マウスデータ入力プログラム演算部４４のフローチャート。
【図１３】キーボード入力プログラム演算部３１のフローチャート。
【図１４】データリンク入力プログラム演算部６２ａのフローチャート。
【図１５】データリンク入力プログラム演算部６２ｂのフローチャート。
【図１６】画面表示用プログラム演算部５のフローチャート。
【符号の説明】
１，１Ａ〜１ｎ・・・個別監視制御用計算機、２ａ，２ｂ・・・設備状態データファイル、３・・・中央監視制御用計算機、４・・・画像信号分岐装置、５・・・画像表示用プログラム演算部、６・・・画像生成装置、７ａ，７ｂ・・・モニタ装置、８・・・画像信号変換装置、９・・・画像データ入力プログラム演算部、１０ａ，１０ｂ・・・画像データファイル、１１ａ，１１ｂ・・・データ送受信プログラム演算部、１２ａ，１２ｂ・・・データ送受信装置、１６・・・画像解析プログラム演算部、１７・・・画面表示プログラム演算部、１８・・・画像生成装置、１９ａ，１９ｃ・・・キーボード装置、２０ａ，２０ｂ，２０ｃ・・・マウス装置、２１・・・インタネット網、２２・・・キーボード信号合成装置、２３ｂ，２３ｃ・・・キーボード入力装置、２５・・・画像データ入力プログラム演算部、２６・・・キーボード信号出力装置、２７・・・キーボードデータ出力プログラム演算部、２８ａ，２８ｂ，２８ｃ・・・データ送受信装置、２９ａ，２９ｂ，２９ｃ・・・データ送受信プログラム演算部、３０・・・マウスデータ出力プログラム演算部、３１・・・キーボード入力プログラム演算部、３２・・・キーボードデータ出力プログラム演算部、３３・・・マウス入力プログラム演算部、３４ｂ，３４ｃ・・・マウス入力装置、３５・・・マウスデータ生成プログラム演算部、３６・・・画像データ出力プログラム、３８・・・画像生成装置、４０・・・入力装置、４１・・・キーボードデータ入力プログラム演算部、４３・・・キーボード信号生成プログラム演算部、４４・・・マウスデータ入力プログラム演算部、４５・・・マウス信号生成プログラム演算部、４６・・・マウス信号合成装置、４７・・・マウス信号入力装置、４８・・・キーボード信号入力装置、５１・・・画面表示プログラム、５２・・・画像処理用計算機、５６・・・マウスデータ等生成プログラム演算部、５７・・・機器装置、５８・・・プロセス入出力装置、５９・・・監視制御プログラム演算部、６０・・・キーボード入力プログラム演算部、６１・・・マウスデータ入力プログラム演算部、６２ａ，６２ｂ・・・データリンクプログラム演算部、６３ａ，６３ｂ・・・データ送受信装置、６４・・・マウス信号出力装置、６５ａ，６５ｂ・・・演算部制御装置
【図１】
2004302990.tif 000003
【図２】
2004302990.tif 000004
【図３】
2004302990.tif 000005
【図４】
2004302990.tif 000006
【図５】
2004302990.tif 000007
【図６】
2004302990.tif 000008
【図７】
2004302990.tif 000009
【図８】
2004302990.tif 000010
【図９】
2004302990.tif 000011
【図１０】
2004302990.tif 000012
【図１１】
2004302990.tif 000013
【図１２】
2004302990.tif 000014
【図１３】
2004302990.tif 000015
【図１４】
2004302990.tif 000016
【図１５】
2004302990.tif 000017
【図１６】
2004302990.tif 000018